【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
それぞれが、光電変換部と、前記光電変換部で生じた電荷に基づく信号を出力する増幅トランジスタと、Ｎ型のリセットトランジスタと、を含み、前記リセットトランジスタを介して前記増幅トランジスタの入力ノードに供給される電圧によって選択状態または非選択状態に設定される、複数の画素と、
選択状態の画素に含まれる前記リセットトランジスタをオフに制御するために前記リセットトランジスタの制御ノードへ第１の電圧を供給し、非選択状態の画素に含まれる前記リセットトランジスタをオフに制御するために前記リセットトランジスタの制御ノードへ前記第１の電圧より低い第２の電圧を供給する制御部と、を有することを特徴とする撮像装置。
【請求項２】
それぞれが、光電変換部と、前記光電変換部で生じた電荷に基づく信号を出力する増幅トランジスタと、Ｐ型のリセットトランジスタと、を含み、前記リセットトランジスタを介して前記増幅トランジスタの入力ノードに供給される電圧によって選択状態または非選択状態に設定される、複数の画素と、
選択状態の画素に含まれる前記リセットトランジスタをオフに制御するために前記リセットトランジスタの制御ノードへ第１の電圧を供給し、非選択状態の画素に含まれる前記リセットトランジスタをオフに制御するために前記リセットトランジスタの制御ノードへ前記第１の電圧より高い第２の電圧を供給する制御部と、を有することを特徴とする撮像装置。
【請求項３】
前記リセットトランジスタの第１の主ノードが前記制御部に電気的に接続され、前記リセットトランジスタの第２の主ノードが前記増幅トランジスタの前記入力ノードに電気的に接続され、
前記制御部が、前記非選択状態の画素に含まれる前記リセットトランジスタの前記制御ノードに前記第２の電圧を供給している期間の少なくとも一部の期間に、前記制御部が前記非選択状態の画素に含まれる前記リセットトランジスタの前記第１の主ノードに選択状態に対応する電圧を供給することを特徴とする請求項１または請求項２に記載の撮像装置。
【請求項４】
前記制御部が、前記非選択状態の画素に含まれる前記リセットトランジスタの前記制御ノードへ前記第２の電圧を供給している前記期間に、前記制御部が、前記非選択状態の画素に含まれる前記リセットトランジスタの前記第１の主ノードへ供給する電圧を、非選択状態に対応する電圧から前記選択状態に対応する電圧へと変化させることを特徴とする請求項３に記載の撮像装置。
【請求項５】
前記制御部が、前記非選択状態の画素に含まれる前記リセットトランジスタの前記制御ノードに前記第２の電圧を供給し、前記第１の主ノードに前記選択状態に対応する電圧を供給している期間に、前記制御部が別の画素の前記リセットトランジスタをオンに制御することによって、前記別の画素を選択状態にすることを特徴とする請求項３または請求項４に記載の撮像装置。
【請求項６】
前記複数の画素には、前記リセットトランジスタの前記制御ノードが共通の配線に電気的に接続された第１の画素群と、前記リセットトランジスタの前記第１の主ノードが共通の配線に電気的に接続された第２の画素群と、が含まれ、
前記第１の画素群に含まれる複数の画素の少なくとも一部は、前記第２の画素群には含まれないことを特徴とする請求項３乃至請求項５のいずれか一項に記載の撮像装置。
【請求項７】
複数の出力線をさらに有し、
前記第１の画素群からの信号は、前記複数の出力線に並列に出力され、
前記第２の画素群からの信号は、前記複数の出力線のうちの１つの出力線に順に出力されることを特徴とする請求項６に記載の撮像装置。
【請求項８】
前記リセットトランジスタの前記第１の主ノードと、前記増幅トランジスタの主ノードとが、互いに接続された共通のノードであることを特徴とする請求項３乃至請求項７のいずれか一項に記載の撮像装置。
【請求項９】
前記増幅トランジスタが、前記リセットトランジスタと同じ導電型であり、
前記選択状態の画素に含まれる前記リセットトランジスタをオンに制御するために前記制御部が前記制御ノードへ供給する第３の電圧と前記第１の電圧との差が、前記非選択状態の画素に含まれる前記リセットトランジスタをオンに制御するために前記制御部が前記制御ノードへ供給する第４の電圧と前記第２の電圧との差よりも小さいことを特徴とする請求項１乃至請求項８のいずれか一項に記載の撮像装置。
【請求項１０】
前記選択状態の画素に含まれる前記リセットトランジスタをオンに制御するために前記制御部が前記制御ノードへ供給する電圧と、前記非選択状態の前記画素に含まれる前記リセットトランジスタをオンに制御するために前記制御部が前記制御ノードへ供給する電圧とが等しいことを特徴とする請求項１乃至請求項８のいずれか一項に記載の撮像装置。
【請求項１１】
前記制御部は、第１導電型のＭＯＳトランジスタと第２導電型のＭＯＳトランジスタとを含んで構成され、
前記第１導電型のＭＯＳトランジスタのソースは、前記リセットトランジスタをオンに制御するための電圧が供給されたノードに電気的に接続され、
前記第１導電型のＭＯＳトランジスタのドレインと、前記第２導電型のＭＯＳトランジスタのドレインとが、前記リセットトランジスタの前記制御ノードに電気的に接続され、
前記第２導電型のＭＯＳトランジスタのソースは、前記第１の電圧が供給されたノードおよび前記第２の電圧が供給されたノードに選択的に接続されるように構成されたことを特徴とする請求項１乃至請求項１０のいずれか一項に記載の撮像装置。
【請求項１２】
請求項１乃至請求項１１のいずれか一項に記載の撮像装置と、
前記撮像装置から出力される信号を処理する信号処理装置と、を備えた撮像システム。
【請求項１３】
それぞれが、光電変換部と、前記光電変換部で生じた電荷に基づく信号を出力する増幅トランジスタと、Ｎ型のリセットトランジスタと、をそれぞれが含む複数の画素を有する撮像装置の駆動方法であって、
前記リセットトランジスタを介して前記増幅トランジスタの入力ノードに電圧を供給することによって、前記複数の画素のうち、一部を選択状態とし、他の部分を非選択状態とするステップと、
選択状態の画素に含まれる前記リセットトランジスタの制御ノードに第１の電圧を供給することによって、前記リセットトランジスタをオフに制御するステップと、
非選択状態の画素に含まれる前記リセットトランジスタの制御ノードに前記第１の電圧より低い第２の電圧を供給することによって、前記リセットトランジスタをオフに制御するステップと、を有することを特徴とする撮像装置の駆動方法。
【請求項１４】
それぞれが、光電変換部と、前記光電変換部で生じた電荷に基づく信号を出力する増幅トランジスタと、Ｐ型のリセットトランジスタと、をそれぞれが含む複数の画素を有する撮像装置の駆動方法であって、
前記リセットトランジスタを介して前記増幅トランジスタの入力ノードに電圧を供給することによって、前記複数の画素のうち、一部を選択状態とし、他の部分を非選択状態とするステップと、
選択状態の画素に含まれる前記リセットトランジスタの制御ノードに第１の電圧を供給することによって、前記リセットトランジスタをオフに制御するステップと、
非選択状態の画素に含まれる前記リセットトランジスタの制御ノードに前記第１の電圧より高い第２の電圧を供給することによって、前記リセットトランジスタをオフに制御するステップと、を有することを特徴とする撮像装置の駆動方法。
【請求項１５】
前記非選択状態の画素に含まれる前記リセットトランジスタの前記制御ノードに前記第２の電圧を供給している期間の少なくとも一部の期間に、前記非選択状態の画素に含まれる前記リセットトランジスタの主ノードに選択状態に対応する電圧を供給するステップを有することを特徴とする請求項１３または請求項１４に記載の撮像装置の駆動方法。
【請求項１６】
前記非選択状態の画素に含まれる前記リセットトランジスタの前記制御ノードへ前記第２の電圧を供給している前記期間に、前記非選択状態の画素に含まれる前記リセットトランジスタの前記主ノードへ供給する電圧を、非選択状態に対応する電圧から前記選択状態に対応する電圧へと変化させるステップを有することを特徴とする請求項１５に記載の撮像装置の駆動方法。
【請求項１７】
前記非選択状態の画素に含まれる前記リセットトランジスタの前記制御ノードに前記第２の電圧を供給し、前記主ノードに前記選択状態に対応する電圧を供給している期間に、別の画素の前記リセットトランジスタをオンに制御することによって、前記別の画素を選択状態にするステップを有することを特徴とする請求項１５または請求項１６に記載の撮像装置の駆動方法。
【請求項１８】
前記撮像装置は、複数の出力線をさらに有し、
前記複数の画素には、前記リセットトランジスタの前記制御ノードが共通の配線に電気的に接続された第１の画素群と、前記リセットトランジスタの前記主ノードが共通の配線に電気的に接続された第２の画素群と、が含まれ、
前記駆動方法が、
前記第１の画素群からの信号を、前記複数の出力線に並列に出力するステップと、
前記第２の画素群からの信号を、前記複数の出力線のうちの１つの出力線に順に出力するステップと、を有することを特徴とする請求項１５乃至請求項１７のいずれか一項に記載の撮像装置の駆動方法。
【請求項１９】
前記リセットトランジスタの制御ノードに第３の電圧を供給することによって、前記リセットトランジスタをオンにするステップを有し、
前記第３の電圧と前記第１の電圧との差が、前記第３の電圧と前記第２の電圧との差よりも小さいことを特徴とする請求項１３乃至請求項１８のいずれか一項に記載の撮像装置の駆動方法。
【請求項２０】
前記選択状態の画素に含まれる前記リセットトランジスタをオンに制御するために前記制御ノードへ供給する電圧と、前記非選択状態の前記画素に含まれる前記リセットトランジスタをオンに制御するために前記制御ノードへ供給する電圧とが等しいことを特徴とする請求項１３乃至請求項１８のいずれか一項に記載の撮像装置の駆動方法。